(57)【要約】      （修正有）【課題】アイラッシュカーラーの不使用時に、そのハンドルを固定して保管や運搬を容易とし、使用時にはハンドルの固定を容易に解除して使用できるようにする固定具とこれを備えるアイラッシュカーラーを提供する。【解決手段】本考案の固定具の一種は、伸縮性を有する円筒型の固定具であって、要１３を中心に交差して動く２基のハンドル９、１１の操作で開閉する２枚のフレーム６、７により睫毛を癖付けるアイラッシュカーラー４に、それらのハンドルを束ね、これらに沿って移動可能に設置され、要の近傍から離隔させるとハンドルが固定され、要に接近させるとハンドルの固定が解除される。その他に、両端部を連結して円筒型にして用いる帯状の固定具、側面から内部に通じる隙間を備えた円筒型の固定具とすることもできる。また、この固定具に好適なハンドル形状とし、予め固定具を備えるアイラッシュカーラーとした。【選択図】図３
0003235603.tif 000002
【実用新案登録請求の範囲】
【請求項１】
伸縮性を有する円筒型の固定具であって、要を中心に交差して動く２基のハンドルの操作で開閉する２枚のフレームにより睫毛を癖付けるアイラッシュカーラーに、前記ハンドルの相対する部位を束ね、前記ハンドルに沿って移動可能に設置し、前記要から離隔させると前記ハンドルが固定され、前記要に接近させると前記ハンドルが解除されることを特徴とするアイラッシュカーラーの固定具。
【請求項２】
両端部を連結して円筒型にして用いる帯状の固定具であって、要を中心に交差して動く２基のハンドルの操作で開閉する２枚のフレームにより睫毛を癖付けるアイラッシュカーラーに、前記ハンドルの相対する部位を束ね、前記ハンドルに沿って移動可能に設置し、前記要から離隔させると前記ハンドルが固定され、前記要に接近させると前記ハンドルが解除されることを特徴とするアイラッシュカーラーの固定具。
【請求項３】
側面から内部に通じる隙間を備えた円筒型の固定具であって、要を中心に交差して動く２基のハンドルの操作で開閉する２枚のフレームにより睫毛を癖付けるアイラッシュカーラーに、前記ハンドルの相対する部位を束ね、前記ハンドルに沿って移動可能に設置し、前記要から離隔させると前記ハンドルが固定され、前記要に接近させると前記ハンドルが解除されることを特徴とするアイラッシュカーラーの固定具。
【請求項４】
側面に切り込みを備えたことを特徴とする請求項１乃至請求項３に記載のいずれかのアイラッシュカーラーの固定具。
【請求項５】
要を中心に交差して動く２基のハンドルの操作で開閉する２枚のフレームにより睫毛を癖付けるアイラッシュカーラーであって、請求項１乃至請求項３に記載のいずれかの前記固定具を、前記ハンドルの相対する部位を束ね、前記ハンドルに沿って移動可能に設置し、前記固定具を前記要から離隔させると前記ハンドルが固定され、前記要に接近させると前記ハンドルが解除されることを特徴とするアイラッシュカーラー。
【請求項６】
要を中心に交差して動く２基のハンドルの操作で開閉する２枚のフレームにより睫毛を癖付けるアイラッシュカーラーであって、請求項１乃至請求項３に記載のいずれかの前記固定具を、前記ハンドルの相対する部位を束ね、前記ハンドルに沿って移動可能に設置し、前記固定具の移動範囲において前記ハンドルの間隔が略同一であり、前記固定具を前記要から離隔させると前記ハンドルが固定され、前記要に接近させると前記ハンドルが解除されることを特徴とするアイラッシュカーラー。
【考案の詳細な説明】
【技術分野】
【０００１】
美容分野におけるアイラッシュカーラーの関連技術である。
【背景技術】
【０００２】
アイラッシュカーラーは、睫毛を上向きにカールさせる器具であり、様々なタイプの製品が提供されている。一般的には、鋏のように開閉して操作するハンドルを備え、簡単な構造で使い易いものが普及しているが、携帯時に嵩張る点が問題とされ、これを改良しようとした技術もこれまで度々提案されてきた。
例えば、特許文献１では、２つの棒状の把手に回転可能に取り付けられた指掛環をともに内側に回転させて重ね、携帯時にコンパクトに折り畳むことが可能なものとしている。そして、特許文献２では、２つの柄部を、これとは反対側の睫毛を挟む部位側に回転させて、アイラッシュカーラーの上端と下端とを取り纏めるものとなっている。
また、通常のアイラッシュカーラーでは、睫毛を圧迫する加圧片の幅方向と、この加圧片を操作する基杆及び移動杆の移動方向とが直角となって厚みを生じてしまうことから、特許文献３及び特許文献４の考案では、加圧片を薄くし、その横幅の向きと基杆及び移動杆の移動方向とを一致させることにより、薄くて平面的な外形状を有するアイラッシュカーラーとしている。
【先行技術文献】
【特許文献】
【０００３】
【特許文献１】実公昭６３−８３２２号公報
【特許文献２】実全昭５７−４２７０２号公報
【特許文献３】実全昭５６−６９３０２号公報
【特許文献４】実公昭４５−４６７０号公報
【考案の概要】
【考案が解決しようとする課題】
【０００４】
本考案の課題は、アイラッシュカーラーの不使用時には、そのハンドルを容易に固定し、使用時には、その固定を速やかに解除してハンドル操作が可能になるアイラッシュカーラーの固定具と、その固定具を予め備えたアイラッシュカーラーを実現することである。
先行技術のアイラッシュカーラーは、保管や運搬を容易にするために、これを小さく折り畳もうとするものだが、それらの形状や構造は複雑で、加工や製造にも手間が掛かるものである。また、それらはアイラッシュカーラーの本体として提供されるものであり、機能向上のために既存の製品に後付けされる固定具に関して、何らかの提案を行うものではない。
一方の本考案は、形状や構造が極めて簡素で製造も容易であり、既存製品にワンポイントとして簡単に後付けできる固定具を提供しようとする。そして、その固定具を予め備えるアイラッシュカーラーとする場合でも、その形状や構造を非常に簡素なものとする。
即ち、製造や使用が非常に容易であり、簡単に後付け可能で魅力的なアイラッシュカーラー用の固定具、そして、この固定具を予め備えるアイラッシュカーラーを提供することが本考案の課題である。そして更には、その固定具に好適なハンドル形状を有するアイラッシュカーラーを実現することにより、アイラッシュカーラーの保管や運搬を従来以上に容易にするものである。
【課題を解決するための手段】
【０００５】
本考案の固定具は、睫毛に上向きの癖付けを行うアイラッシュカーラーに使用する。このアイラッシュカーラーは、回転操作の支点となる要の位置で２基のハンドルを鋏のように交差させて連結し、そのハンドルの操作に連動して開閉する上下２枚のフレームで睫毛を挟み込み、その圧力で睫毛の癖付けを行うものである。
この固定具の一種は、柔軟で伸縮性と復元性を有する円筒型の固定具であって、要を中心に交差して回転する２基のハンドルを束ね、これらに沿って移動可能に設置される。そして、この固定具を回転操作の支点となる要の位置から離隔させるとハンドルが固定されて操作が不可能となり、これとは逆に、要の近傍に固定具を接近させるとハンドルの固定が解除されて操作が可能になるものである。この時、固定具の側面に必要に応じて切り込みを入れて、ワンポイントとしての装飾効果を得るとともに、固定具の伸縮性を高めるものとする。
この固定具の別のもう一種は、両端部を連結して円筒型にして用いる帯状の固定具である。そして更に、これらと異なる他の一種は、その側面に内部に通じる隙間を備える円筒型の固定具である。この時、必要に応じて、円筒の側面に切り込みを入れることは、前記と同様である。
これらの固定具を設置する位置は、両ハンドルに設けられる指穴の外側から要までの間であり、両ハンドルを束ねながら、この範囲を自由に移動できる状態に設置される。また、アイラッシュカーラーのハンドルを、この固定具に好適な形状にすることで、固定具を指穴の内側から要までのより広い範囲に設置し、その間を移動させることも可能である。
このようなことから、前記の固定具に加え、これらの固定具のいずれかを予め備えたアイラッシュカーラー、更には、そのハンドルを固定具の使用に好適な形状としたアイラッシュカーラーを考案した。後者は、固定具によって束ねられる２基のハンドルが相対する部分について、この固定具の移動する範囲が略平行で、両ハンドル間の距離を略同一なものとし、指穴の内側から２基のハンドルが連結される要の近傍まで、固定具の移動を可能なものとしたアイラッシュカーラーである。
【考案の効果】
【０００６】
この固定具は、アイラッシュカーラーのハンドルを束ねて設置され、両ハンドルが交差する要の近傍に固定具を移動させると、アイラッシュカーラーのハンドル操作が可能になり、要から離れた指穴寄りに移動させると、ハンドルが固定されて意図せぬ開閉を確実に防ぎ、不使用時や携帯時に安定した状態で保管や運搬を行うことを可能とする。
これらの設置や移動を始め、固定具の取り扱いは極めて簡単であり、そして、既存のアイラッシュカーラーに手軽に後付けすることができ、又は、この固定具が予め設置されたアイラッシュカーラーを手軽に実現できる。
また、固定具の構造も簡素であるため、その製造が極めて容易である一方で、固定具の形状や色彩及び切り込みの意匠等に創意を凝らすことも可能である。これは、使用者が自己のアイラッシュカーラーを識別する際などにも有効なものとなり、アイラッシュカーラーの中心部において、ワンポイント的な装飾効果を発揮するため、自己の愛用品に対する満足感や愛着心を高める効果も期待できる。
【図面の簡単な説明】
【０００７】
【図１】固定具の一例を示す斜視図である。
【図２】フレームを開いた状態のアイラッシュカーラーである。
【図３】フレームを閉じた状態のアイラッシュカーラーである。
【図４】固定具の設置位置と移動範囲を示す参考図である。
【図５】異なるタイプの固定具を示す斜視図である。
【図６】固定具を取り付けるハンドル形状を示す側面図である。
【図７】固定具を取り付けるハンドル形状を示す平面図である。
【図８】異なるタイプのハンドル形状を示す側面図である。
【考案を実施するための形態】
【０００８】
本考案の固定具１について、外観の一例を図１に示す。
この図１では、固定具１を横に倒した状態で図示しているが、固定具１は円筒型の外形をなし、柔軟性・伸縮性・復元性を有するため、これを引き延ばして、円筒内の空間を一時的に拡張することが可能なものである。図１の固定具１では、その側面の一部に切り込みが設けられており、伸縮性の向上に貢献するとともに、ワンポイント的な装飾効果を発揮している。
【０００９】
この図１では、固定具１にストラップ２を通したうえで、そのストラップ２にアタッチメント３を繋いでいる。但し、この固定具１は、それ自体でその機能を実現し得る。ストラップ２やアタッチメント３は利便性向上のために付加させるものであり、固定具１を持ち運ぶときや、紛失防止のためにアイラッシュカーラー４に連結する際などに使用される。固定具１とストラップ２等との繋ぎ方も、この例に限らず、固定具１の一部を突出されて穴を空け、その穴にストラップ２を通すなど、他の方法で繋いでも良い。
【００１０】
本考案の固定具１は、睫毛をカールさせるためのアイラッシュカーラー４に使用する。図２は、アイラッシュカーラー４の一例を示した斜視図である。
なお、以下の説明における方向の表記、即ち、上下や前後とは、アイラッシュカーラー４を使用する際に、これを使用する者との一般的な位置関係に基づく表記とする。そして、その一般的なアイラッシュカーラー４の使用法とは、次のようなものである。
【００１１】
図２のアイラッシュカーラー４を使用する者は、自己の片目の前で、薄い板状で中央部が突出した上下２枚のフレーム５を上向きにして構える。そして、フレーム５の緩やかな湾曲形状を眼部の形状に合わせる。より正確には、フレーム５の向きを上瞼の膨らみに適合するように構え、上側となる固定フレーム６の下端と、下側となる可動フレーム７の上端とで、睫毛を上下から挟んで加圧するために、フレーム５の下方にある２基のハンドルを鋏のように操作して開閉させる。
【００１２】
このようなことから、図２のアイラッシュカーラー４では、図の左上となるフレーム５側を上とし、図の右下となる２基のハンドル側を下とする。また、使用者の顔に近い図の右手前の斜め上方向を後とし、その反対側であり、フレーム５の中央が突出する方向であり、使用者の顔から遠くなる図左奥の斜め下方向を前として、以下の説明を行う。
よって、２基のハンドルのうち、顔により近くなる右手前が後ハンドル９であり、顔から離れて遠くなる左奥が前ハンドル１１となる。
【００１３】
睫毛のカール処理は、後ハンドル９と前ハンドル１１の開閉操作に連動する２枚のフレーム５によって行われる。このフレーム５は、上下に位置する２つの薄い板状の部位である。それらはともに緩やかな円弧を描きながら、その中央部が前方に突出しており、この湾曲した形状が使用者の上瞼の形状に適合する。そして、上側の固定フレーム６と下側の可動フレーム７とが接近して接触し、睫毛を上下から挟みながら圧迫することで、睫毛を上向きに反らせる癖付けを行う。
この時、固定フレーム６と可動フレーム７とが接触する部分には、クッション材としてのゴム部材８が取り付けられる。図２では、下側にある可動フレーム７の上端全辺に渡ってゴム部材８が配されている。なお、このゴム部材８は、消耗品として交換することが可能であり、上側の固定フレーム６に設けるものであっても構わない。
【００１４】
アイラッシュカーラー４の後ハンドル９は、図２の中央であって、後ハンドル９と前ハンドル１１とが交差して、それらの回転操作の支点となる位置より上側、即ち、両ハンドルを回転可能に連結する要１３の位置より上側において左右に分岐し、更にその上方では平行に延びて、２つの固定支柱１４となっている。
そして、この固定支柱１４は、上側の薄い板状の固定フレーム６を左右から支持するために、固定フレーム６の両端と繋がっている。また、後ハンドル９の下端側については、使用者が親指を入れてハンドル操作を行うための後指穴１０として処理されている。
【００１５】
一方、前ハンドル１１は、ハンドル操作の支点となる要１３において、後ハンドル９と交差して、これらの両ハンドルを鋏のように操作するため、後ハンドル９と回転可能に連結されている。前ハンドル１１は、要１３より上側で後方に突出し、その先端部には連結用の横穴を左右に貫通させている。そして、左右に平行な固定支柱１４に沿って上下に移動する可動フレーム７と繋がる可動支柱１５は、その横穴でネジやピン等によって前ハンドル１１と可動的に連結される。また、前ハンドル１１の下端側は、後ハンドル９と同様に前指穴１２が設けられており、鋏のように中指を差し込んで操作できる形状となっている。
【００１６】
図２は、後ハンドル９と前ハンドル１１の下端が大きく離れた状態であり、前後のハンドルと上下のフレーム５がともに開かれた状態のアイラッシュカーラー４である。
睫毛を挟み込む前である図２の状態に至る過程においては、手ぶれ等を起こさず安定した状態のまま、フレーム５で睫毛を挟み込むために、親指で操作する後ハンドル９とこれに繋がる固定フレーム６は、基本的にハンドル操作によって大きな移動が生じないようにされる。
一方で、前ハンドル１１を中指で前向きに引き上げる操作によって、要１３と前ハンドル１１先端の２箇所を支点とする杆運動が発生し、上方に位置していた可動支柱１５が下方に移動する。
そして、上下２枚のフレーム５のうち、睫毛の挟み込み時に基本的に固定されて動かない固定フレーム６と、ハンドル操作による可動支柱１５の降下に伴い下方に動く可動フレーム７とは引き離されて、図２に示したようにフレーム５が開かれた状態へと至る。
【００１７】
また、図２の前向きに引き上げられた前ハンドル１１を再び後側に引き下ろして、後ハンドル９と前ハンドル１１の両下端を接近させるように両ハンドルを閉じると、前記の杆運動とは逆に、可動支柱１５は上方に押し上げられる。そして、この可動支柱１５の上昇に伴って、可動フレーム７が左右の固定支柱１４に沿いながら上方に押し上げられるため、上下２枚のフレーム５は閉じられて、睫毛が上下から挟み込まれて圧迫される図３の状態となる。
しかし、従来のアイラッシュカーラー４では、不使用の際などに、所有者の意に反して、後ハンドル９と前ハンドル１１とが図２のように勝手に開いてしまい、これらを固定する部材や機構もなかったため、かばん等に入れて持ち運ぶ際などに、両ハンドルの纏まりがなく、嵩張ってしまうという不便さがあった。そのため、このような不便さを解消するために、本考案の固定具１を用いるものである。
【００１８】
固定具１は、後ハンドル９と前ハンドル１１とを束ねるように装着して用いられる。図４が、固定具１の装着例であり、アイラッシュカーラー４を側面から見た状態である。
図４の（Ａ）はフレーム５が開いた状態であり、図２の側面図に相当する。この時、固定具１は、要１３の近傍に位置している。
一方の（Ｂ）は図３のアイラッシュカーラー４の側面図に相当し、フレーム５が閉じられた状態を示す。固定具１は、要１３から隔離された状態になっている。
【００１９】
ところで、固定具１の形状や構造については、様々なものが考えられる。
固定具１の形態について、その代表的な例を図５に示す。
その１つである図５の（Ａ）は、容易に伸張させることができて、もとの形状に容易に復元する素材を予め側面が閉じられた円筒型に成形し、使用時にはこれを引き延ばして、アイラッシュカーラー４の両ハンドルを束ねて装着する。
中央の（Ｂ）は、側面の両端が開放された帯状の固定具１である。使用時に両ハンドルを取り巻き、その後に固定具１の両端を連結し、側面が閉じられた円筒型の状態にして装着する。
右側の（Ｃ）は、薄い板状の素材が円筒型の形状に丸められており、その側面にできて円筒型の内部に通じる隙間から、後ハンドル９と前ハンドル１１を固定具１の内側に潜らせて、これらの両ハンドルを束ねることで、アイラッシュカーラー４に設置するものである。
これらには、固定具１の伸縮性を向上させ、同時に、装飾効果を発揮するための切り込みが設けられている。その一例として、（Ａ）では星形の切り込みとし、（Ｂ）では２本の平行なスリットとし、（Ｃ）では縦に複数並んだ細い溝状の切り込みとしている。これらの切れ込みは、固定具１の側面を貫通させたものであっても良いし、側面の厚さを調整して一部を薄くし、伸縮性を増す状態にしたものであっても良い。また、その他にも、固定具１の形状や構造に関しては、様々な工夫を凝らすことが考えられる。
【００２０】
固定具１の材質についても、前記の形状や構造に対応して様々なものを採用することが考えられる。例えば、柔軟性や伸縮性に優れて復元性があるゴムやシリコン、やや硬質でありながらも形状を記憶して復元性があるプラスチックや金属類、更には、素材の風合いを活かすために、木・布・紙などを利用することも考えられる。
例えば、図５の（Ａ）の場合、シリコン等の伸縮素材を幅１ｃｍ、直径２ｃｍの予め閉じられた円筒型に一体的に成形することも可能である。この場合の厚みは、素材と伸縮性との兼ね合いで決めることになるが、１〜３ｍｍとすることが多い。
そして、図５の（Ｂ）の場合、これを布製とする際には、ゴムのような伸縮性を具備しないことが多いため、高さ１ｃｍ、幅４ｃｍの帯状とし、両端部を繋ぐための図中ａのような連結機構として、ホックやシール等を設けた固定具１とする。そして、使用時に両端部を連結して両ハンドルを束ねるものである。
また、図５の（Ｃ）の場合、プラスチックや合金の薄い板を細長く成形し、その一部を重ねて円筒型に丸め、使用時には、図中ｂのように、その側面の一部にできる隙間を一時的に拡張することで、両ハンドルを固定具１の内側に潜らせて束ねるものとする。
【００２１】
そのようなことから、固定具１の製造方法としては、ゴム・プラスチック・金属などの材料から円筒型の固定具１に一体成形する方法や、板状に加工したものを丸めて円筒型の固定具１とする方法などが考えられる。
また、個別の部品を成形した後に、これらを組み合わせて製造する方法、更には、布等の自動裁断や機械による部品付け、手作業による縫製等の複数工程の組み合わせによる作成方法など、その形状や素材に応じて、様々な製造方法を選択することが考えられる。
【００２２】
この固定具１は、後ハンドル９と前ハンドル１１とを束ねて、両ハンドルに沿って移動可能に設置される。それを示したものが、図４の（Ａ）及び（Ｂ）であった。
（Ａ）では、固定具１が要１３の近傍に位置している。また、（Ｂ）は、固定具１が要１３から隔離された位置に移動している状態である。このように、固定具１は、（Ａ）及び（Ｂ）に示した位置に設置され、その範囲内を移動する。
【００２３】
なお、この固定具１を設置する位置と、これを移動させる範囲については、次の２つのケースが考えられる。
その第１のケースは、両ハンドルの指穴の外でその直ぐ上の位置から、両ハンドルが回転する中心点であり、フレーム５を動かす際の杆運動の一つの支点となる要１３の位置までの間に固定具１が設置されて、この範囲内を移動する。即ち、図４の大凡ａからｃまでの範囲を移動できるように取り付けられる。
また、第２のケースは、両ハンドルの指穴の内から、要１３までの位置と範囲であり、指穴に形成される隙間をすり抜けるようにして、この範囲内を固定具１が移動する。即ち、図４の大凡ｂからｃまでの範囲に取り付けられて、その間を自在に移動する。
【００２４】
そして、いずれのケースであっても、この固定具１が、後ハンドル９と前ハンドル１１とが交差して開閉操作の支点となる要１３の近傍であるｃの位置に到達すると、両ハンドルの拘束が解かれ、アイラッシュカーラー４のハンドル操作を行うことが可能になる。
一方、アイラッシュカーラー４の不使用時や、これをかばん等に入れて携帯する際には、下側の指穴寄りのａ又はｂの位置に固定具１を移動させることで両ハンドルが固定されて、安定した状態で保管や運搬を行うことが可能になる。
【００２５】
ところで、この固定具１は、既存のアイラッシュカーラー４に後付けすることも可能であるが、一方では、この固定具１を予め備え持ったアイラッシュカーラー４を容易に実現することも可能である。
この時、固定具１を設置する位置とこれを移動させる範囲については、前記の第１のケース（図４のa−ｃ）とする場合はもとより、第２のケース（図４のｂ−ｃ）とする場合においても、アイラッシュカーラー４の両ハンドルを図６及び図７のような形状にすることによって、この固定具１をより好適な状態でアイラッシュカーラー４に設置することができる。
【００２６】
一般のアイラッシュカーラー４は、図４の（Ｂ）に示したように、要１３の位置から指穴がある下方に向かうにつれて、後ハンドル９と前ハンドル１１との間隔が漸次に開き気味の形状となることが多い。そのため、これらを束ねる固定具１は、柔軟性と伸縮性を有して、ハンドル間の距離の増減に対応している。
しかし、この図６の後ハンドル９と前ハンドル１１が互いに相対する部位の一部は、これらを閉じた状態で略平行なものであり、指穴の内側から要１３の近傍までの広い範囲に渡って、両ハンドル間の距離は略同一となっている。従って、固定具１が伸縮性に乏しいやや硬めの素材からなるものであっても、その移動は自在かつ容易なものとなる。
【００２７】
また、図７は、図６の両ハンドルを図の上方から見下ろした形状を表している。後ハンドル９に隠れる前ハンドル１１は図示せず、後ハンドル９のみを視認できる状況で示しているが、前ハンドル１１も上下対称の構成をなす同様の形状となっている。
図示を一部省略しているが、この図７で左側となる後ハンドル９の上方は、二股に分岐して、その先は更に平行に上方に伸びて固定支柱１４となる。
これと反対側で、アイラッシュカーラー４の下側となる図７の右側では、後ハンドル９がループを描きながら図６のように後指穴１０を形成し、下端から上方に向かうにつれて、後ハンドル９の一部が横並びで平行に延び、固定具１が移動可能な隙間が確保された形状になっている。
【００２８】
従って、図６のように、相対する両ハンドルの一部が図中のａやｂの位置からｃの位置まで略平行であるため、この範囲内で固定具１を容易に移動させることができる。また、図７のように、両ハンドルの指穴には、固定具１が移動可能な隙間が確保されるため、両ハンドルの指穴の内側となるｂの位置から、更にその上方で指穴の外側となるａの位置まで、固定具１を容易に移動させることができる。
即ち、図６及び図７のハンドル形状とすることにより、アイラッシュカーラー４のハンドル形状を好適化し、固定具１の設置位置と移動範囲に関する前記の第２のケース（図４のｂ―ｃ）に対応させることが可能になる。
【００２９】
また、固定具１を予め備えたアイラッシュカーラー４に関し、図６及び図７とは、その一部の形態を異にするハンドルを例示したものが、図８である。
図６又は図８のいずれのハンドル形状であっても、後指穴１０及び前指穴１２の内側から要１３の近くまで、固定具１を容易に移動させることが可能なアイラッシュカーラー４となる。
【００３０】
このようにして、この固定具１は、既存のアイラッシュカーラー４に対する後付けの部材として、又は、これをアイラッシュカーラー４に予め備え付けて利用されることで、アイラッシュカーラー４の保管や運搬を極めて容易なものとする。
そして、この固定具１は構造も簡単であり、製造も容易なため、様々なアイラッシュカーラー４において、気軽に利用することができる。
また、固定具１の形状や色彩、切り込みの意匠等に創意工夫を凝らすことで、単なる機能向上のみでなく、見た目の楽しさや愛着心の向上、所有者の識別などにも優れた効果を発揮することが期待されるものである。
【符号の説明】
【００３１】
１  固定具
２  ストラップ
３  アタッチメント
４  アイラッシュカーラー
５  フレーム
６  固定フレーム
７  可動フレーム
８  ゴム部材
９  後ハンドル
１０  後指穴
１１  前ハンドル
１２  前指穴
１３  要
１４  固定支柱
１５  可動支柱
【図１】
0003235603.tif 000003
【図２】
0003235603.tif 000004
【図３】
0003235603.tif 000005
【図４】
0003235603.tif 000006
【図５】
0003235603.tif 000007
【図６】
0003235603.tif 000008
【図７】
0003235603.tif 000009
【図８】
0003235603.tif 000010